(57)【要約】      （修正有）【課題】テキストを閲覧しながら、テキスト中の単語の検索頻度と登録有無とを同時に識別する。【解決手段】情報表示装置１は、テキストを表示するメインパネル１０と、見出し語毎に検索頻度を記憶するヒストリーテーブル８４と、所定の検索頻度に達した見出し語を少なくとも１種類の単語帳に登録するＣＰＵ２０と、を備える。ＣＰＵ２０は、ヒストリーテーブル８４に記憶された見出し語毎の検索頻度と、単語帳に登録された見出し語とに基づき、テキスト中の単語を、検索頻度別および登録有無別の両方の基準で識別表示させる。【選択図】図２
2015060492.tif 000002
【特許請求の範囲】
【請求項１】
テキストを表示するテキスト表示手段と、
見出し語と当該見出し語の説明情報とを対応づけて複数記憶する辞書記憶手段と、
ユーザ操作によりテキスト中のいずれかの単語を指定する単語指定手段と、
前記単語指定手段により指定された単語に対応する見出し語を前記辞書記憶手段から検索する見出し語検索手段と、
前記見出し語検索手段により検索された見出し語の説明情報を、前記辞書記憶手段から読み出して表示させる説明情報表示制御手段と、
見出し語検索手段により検索された見出し語毎に検索頻度を記憶する検索頻度記憶手段と、
前記検索頻度手段に記憶された各見出し語のうち、所定の検索頻度に達した見出し語を少なくとも１種類の単語帳に登録する単語帳登録手段と、
前記検索頻度記憶手段に記憶された見出し語毎の検索頻度と、前記単語帳登録手段により登録された見出し語とに基づき、テキスト中の単語を、検索頻度別および登録有無別の両方の基準で識別表示させる識別表示制御手段と、
を備えることを特徴とする情報表示装置。
【請求項２】
請求項１に記載の情報表示装置において、
前記単語帳登録手段は、
第１の検索頻度に達した見出し語と、当該見出し語の説明情報中のマーカー文字列部分とを対応付けて蓄積記憶するマーカー単語帳登録手段と、
第２の検索頻度に達した見出し語と、ユーザ操作により手書き入力される手書き画像とを対応付けて蓄積記憶する手書単語帳登録手段と、
を有することを特徴とする情報表示装置。
【請求項３】
請求項２に記載の情報表示装置において、
前記単語帳登録手段は、
ユーザ操作により、前記テキスト中で指定された各単語に対応する各見出し語を、その見出し語の検索頻度に応じて、前記マーカー単語帳登録手段または前記手書単語帳登録手段のいずれかに一括で登録することを備えることを特徴とする情報表示装置。
【請求項４】
請求項２または３に記載の情報表示装置において、
ユーザ操作によりテストモードが実行され、前記マーカー単語帳登録手段に登録された単語が指定された場合、その単語に対応する見出し語の説明情報を対応するマーカー文字列部分を潜像化した状態でマーカー表示させ、ユーザ操作によりその単語の解答が得られたときに、当該マーカー文字列部分を顕像化した状態で表示させるマーカー単語帳テスト実施手段と、
ユーザ操作によりテストモードが実行され、前記手書単語帳登録手段に登録された単語であってユーザ操作により指定されたテキスト中のいずれかの単語が指定された場合に、その単語に対応する見出し語と手書き入力するための手書き欄とを表示させ、当該手書き欄にユーザ操作により手書き入力された手書き画像と前記手書単語帳登録手段に登録された当該見出し語の手書き画像とが合致したときに、その単語に対応する見出し語の説明情報を表示させる手書単語帳テスト実施手段と、
を備えることを特徴とする情報表示装置。
【請求項５】
請求項４に記載の情報表示装置において、
前記テストモードの実行のオン・オフの状態を切り替えるテスト実行制御手段を備え、
前記テスト実行制御手段は、
前記テストモードの実行がオンの状態では、前記単語指定手段によりテキスト中のいずれかの単語が指定された場合に、当該単語に対応する見出し語が前記マーカー単語帳登録手段かまたは手書単語帳登録手段に登録されているときは、前記テストモードを実行し、前記指定された単語に対応する見出し語についてテストを実施し、
前記テストモードの実行がオフの状態では、前記単語指定手段によりテキスト中のいずれかの単語が指定された場合に、前記見出し語検索手段により指定された単語に対応する見出し語を前記辞書記憶手段から検索することを特徴とする情報表示装置。
【請求項６】
請求項２〜５のいずれか一項に記載の情報表示装置において、
前記マーカー単語帳登録手段に登録済みの見出し語の登録先を、その単語の検索頻度が変動したときに、前記手書単語帳登録手段に変更させる登録先変更手段を備えることを特徴とする情報表示装置。
【請求項７】
テキストを表示するテキスト表示手段と見出し語と当該見出し語の説明情報とを対応づけて複数記憶する辞書記憶手段と、を備えるコンピューターに、
ユーザ操作によりテキスト中のいずれかの単語を指定する単語指定機能と、
前記単語指定機能により指定された単語に対応する見出し語を前記辞書記憶手段から検索する見出し語検索機能と、
前記見出し語検索機能により検索された見出し語の説明情報を、前記辞書記憶手段から読み出して表示させる説明情報表示制御機能と、
見出し語検索機能により検索された見出し語毎に検索頻度を記憶する検索頻度記憶機能と、
前記検索頻度機能により記憶された各見出し語のうち、所定の検索頻度に達した見出し語を少なくとも１種類の単語帳に登録する単語帳登録機能と、
前記検索頻度記憶機能により記憶された見出し語毎の検索頻度と、前記単語帳登録機能により登録された見出し語とに基づき、テキスト中の単語を、検索頻度別および登録有無別の両方の基準で識別表示させる識別表示制御機能と、
を実現させることを特徴とする情報表示プログラム。
【発明の詳細な説明】
【技術分野】
【０００１】
本発明は情報表示装置および情報表示プログラムに関する。
【背景技術】
【０００２】
従来から、辞書コンテンツやテキストコンテンツを内蔵する電子辞書などの情報表示制御装置には、学習効率の向上を図るための様々な機能が付与されている（特許文献１−３参照）。
【０００３】
特許文献１では、テキスト中の単語における過去の検索回数を記憶し、当該単語に対し検索回数に応じて異なる表示色が付される技術が開示されている（段落０００９−００１０、図２など）。
特許文献２では、単語の検索回数をカウントして一定数に達した高頻度の単語を登録し、その単語ごとに、意味内容の正誤を判定しうる択一式の問題を作成する技術が開示されている（段落００３９、図４など）。
特許文献３では、単語の検索回数を記録して検索回数が規定数を超えると単語帳登録を喚起するメッセージを表示したり（段落００４５、００５９、図４、図９など）、単語帳登録された単語の説明情報にマーカーが付与して表示したりしうる技術が開示されている（段落００４９、図５−図６、図９など）。
【先行技術文献】
【特許文献】
【０００４】
【特許文献１】特開平６−０９６１３５号公報
【特許文献２】特開２００６−２２８０４４号公報
【特許文献３】特開２００４−２１３２９９号公報
【発明の概要】
【発明が解決しようとする課題】
【０００５】
しかしながら、これら特許文献１〜３の技術では、いずれも、テキストを閲覧しながら、単語の検索頻度と登録有無とを同時に識別することができず、テキストの閲覧中に一目で単語の重要度を識別しうるには至っていない。
本発明の課題は、テキストを閲覧しながら、テキスト中の単語の検索頻度と登録有無とを同時に識別することができる情報表示装置および情報表示プログラムを提供することである。
【課題を解決するための手段】
【０００６】
本発明は、情報表示装置において、
テキストを表示するテキスト表示手段と、
見出し語と当該見出し語の説明情報とを対応づけて複数記憶する辞書記憶手段と、
ユーザ操作によりテキスト中のいずれかの単語を指定する単語指定手段と、
前記単語指定手段により指定された単語に対応する見出し語を前記辞書記憶手段から検索する見出し語検索手段と、
前記見出し語検索手段により検索された見出し語の説明情報を、前記辞書記憶手段から読み出して表示させる説明情報表示制御手段と、
見出し語検索手段により検索された見出し語毎に検索頻度を記憶する検索頻度記憶手段と、
前記検索頻度手段に記憶された各見出し語のうち、所定の検索頻度に達した見出し語を少なくとも１種類の単語帳に登録する単語帳登録手段と、
前記検索頻度記憶手段に記憶された見出し語毎の検索頻度と、前記単語帳登録手段により登録された見出し語とに基づき、テキスト中の単語を、検索頻度別および登録有無別の両方の基準で識別表示させる識別表示制御手段と、
を備えることを特徴とする。
【発明の効果】
【０００７】
本発明によれば、テキストを閲覧しながら、テキスト中の単語の検索頻度と登録有無とを同時に識別することができる。
【図面の簡単な説明】
【０００８】
【図１】電子辞書の外観を示す平面図である。
【図２】電子辞書の内部構成を示すブロック図である。
【図３】情報表示処理を示すフローチャートである。
【図４】情報表示処理を示すフローチャートである。
【図５】情報表示処理を示すフローチャートである。
【図６】表示部による表示内容を示す図である。
【図７】表示部による表示内容を示す図である。
【図８】表示部による表示内容を示す図である。
【図９】表示部による表示内容を示す図である。
【図１０】表示部による表示内容を示す図である。
【図１１】表示部による表示内容を示す図である。
【図１２】表示部による表示内容を示す図である。
【図１３】表示部による表示内容を示す図である。
【図１４】タブレットパソコンの外観を示す平面図である。
【発明を実施するための形態】
【０００９】
以下、図面を参照して、本発明に係る情報表示装置を電子辞書に適用した場合の実施形態について詳細に説明する。
【００１０】
［外観構成］
図１は、電子辞書１の平面図である。
この図に示すように、電子辞書１は、メインパネル１０、サブパネル１１、カードスロット１２、及びキー群２を備えている。
【００１１】
メインパネル１０及びサブパネル１１は、ユーザによるキー群２の操作に応じた文字や符号等、各種データを表示する部分であり、ＬＣＤ（Liquid Crystal Display）やＥＬＤ（Electronic Luminescence Display）等によって構成されている。特に本実施の形態では、メインパネル１０にはテキストコンテンツ７４（図２参照）に格納されたテキストが表示される。なお、本実施の形態におけるメインパネル１０及びサブパネル１１は、いわゆるタッチパネル１１０（図２参照）と一体的に形成されており、手書き入力等の操作を受け付け可能となっている。
【００１２】
カードスロット１２は、種々の情報を記憶した外部情報記憶媒体１２ａ（図２参照）と着脱可能に設けられている。
【００１３】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、シフトキー２ｆと、戻るキー２ｇ、学習帳キー２ｈ等とを有している。
【００１４】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース７２（図２参照）の選択に使用されるキーである。
【００１５】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。
学習帳キー２ｈは、マーカー単語帳を用いたテスト（図１２（ｂ）参照）や暗記カードを用いたテスト（図１３参照）を実施するとき等に使用される。
【００１６】
［内部構成］
続いて、電子辞書１の内部構造について説明する。図２は、電子辞書１の内部構成を示すブロック図である。
【００１７】
この図に示すように、電子辞書１は、表示部４０、入力部３０、記録媒体読取部６０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００１８】
表示部４０は、上述のメインパネル１０及びサブパネル１１を備えており、ＣＰＵ２０から入力される表示信号に基づいて各種情報をメインパネル１０やサブパネル１１に表示するようになっている。
【００１９】
入力部３０は、上述のキー群２やタッチパネル１１０を備えており、押下されたキーやタッチパネル１１０の位置に対応する信号をＣＰＵ２０に出力するようになっている。
【００２０】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２１】
ここで、外部情報記憶媒体１２ａには、コンテンツ等が格納されるようになっている。なお、このコンテンツは後述のフラッシュＲＯＭ８０におけるコンテンツ群７０のコンテンツと同様のデータ構造を有しているため、ここでは説明を省略する。
【００２２】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２３】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８２と、コンテンツ群７０と、ヒストリーテーブル８４と、単語帳群８６等とを記憶している。
【００２４】
情報表示プログラム８２は、後述の情報表示処理（図３〜図５参照）をＣＰＵ２０に実行させるためのプログラムである。
【００２５】
コンテンツ群７０は、複数のコンテンツを有しており、本実施の形態においては、複数の辞書データベース７２及びテキストコンテンツ７４を有している。
【００２６】
辞書データベース７２には、見出し語（単語）と、この見出し語の説明情報とを対応付けた１つ以上の辞書情報が格納されている。本実施の形態においては、このような辞書データベース７２として、「英和辞書」や「国語辞書」などの辞書データベース７２が用いられている。
【００２７】
テキストコンテンツ７４には、複数のテキスト（教材）が格納されている。本実施の形態においては、「世界文学３００作品」や「日本文学１００作品」などのテキストが格納されている。
【００２８】
ヒストリーテーブル８４は、テキストコンテンツ７４の検索履歴を記憶している。具体的には、ヒストリーテーブル８４には、テキストコンテンツ７４の単語が指定されて、いずれかの辞書で見出し語が検索された場合に、その単語に対応する見出し語と当該見出し語の過去の検索頻度とが蓄積記憶されるようになっている。「検索頻度」とは、検索回数の総累積数をいうか、または一定期間（例えば１週間、１月など）における検索回数をいう。
【００２９】
単語帳群８６は、複数のマーカー単語帳テーブル８７と暗記カードテーブル８８とを有している。
マーカー単語帳テーブル８７は、学習対象の単語（注意すべき単語）として、ユーザ操作により登録された単語に対応する見出し語と、当該見出し語の説明情報中、ユーザ操作に基づきマーカー表示文字列として指定された文字列の位置情報とを対応付けて蓄積記憶するようになっている。
【００３０】
暗記カードテーブル８８は、学習対象の単語として（暗記すべき単語）として、ユーザ操作により登録された単語に対応する見出し語と、その意味内容を手書き入力した手書き画像とを対応付けて蓄積記憶するようになっている。
【００３１】
ＲＡＭ９０は、ＣＰＵ２０が実行する各種プログラムや、これらプログラムの実行に係るデータ等を一時的に保持するメモリ領域を備えている。
【００３２】
［動作］
続いて、電子辞書１の動作について、図面を参照しつつ説明する。
【００３３】
＜情報表示処理＞
図３〜図５は、ＣＰＵ２０が情報表示プログラム８２を読み出して実行する情報表示処理の流れを示すフローチャートである。
【００３４】
この情報表示処理においては、図３に示すように、まずＣＰＵ２０は、テキストコンテンツ７４中からテキストを読み出して指定し（ステップＳ１）、メインパネル１０に表示させ（ステップＳ２）、テキスト中の先頭の単語を特定する（ステップＳ３）。
【００３５】
次に、ＣＰＵ２０は、特定された単語（以下「特定単語」という。）に対応する見出し語がヒストリーテーブル８４にあるか否かを判定する（ステップＳ４）。
判定の結果、ＣＰＵ２０は、特定単語に対応する見出し語がヒストリーテーブル８４にないと判定した場合（ステップＳ４；ＮＯ）、特定単語に青枠マーカーを付す処理を実行し（ステップＳ５）、ステップＳ１６に移行し、特定単語に対応する見出し語がヒストリーテーブル８４にあると判定した場合（ステップＳ４；ＹＥＳ）、ステップＳ６に移行する。
【００３６】
ステップＳ６では、ＣＰＵ２０は、特定単語に対応する見出し語の検索頻度が２回以下であるか否かを判定する。
判定の結果、ＣＰＵ２０は、特定単語に対応する見出し語の検索頻度が１−２回であると判定した場合（ステップＳ６；ＹＥＳ）、テキスト中の特定単語に青枠マーカーを付す処理を実行し（ステップＳ５）、ステップＳ１６に移行し、特定単語に対応する見出し語の検索頻度が３回以上であると判定した場合（ステップＳ６；ＮＯ）、ステップＳ７に移行する。
【００３７】
ステップＳ７では、ＣＰＵ２０は、特定単語に対応する見出し語の検索頻度が４回以下であるか否かを判定する。
特定単語に対応する見出し語の検索頻度が３−４回であると判定した場合（ステップＳ７；ＹＥＳ）、ＣＰＵ２０は、テキスト中の特定単語に黄マーカーを付す処理を実行し（ステップＳ８）、特定単語に対応する見出し語がマーカー単語帳に登録済みであるか否かを判定する（ステップＳ９）。
ステップＳ９では、ＣＰＵ２０は、特定単語に対応する見出し語と、当該見出し語の説明情報中での特定単語に対応する文字列の位置情報とが、マーカー単語帳テーブル８７に蓄積記憶されているか否かを判定する。
判定の結果、ＣＰＵ２０は、特定単語に対応する見出し語がマーカー単語帳に登録済みであると判定した場合（ステップＳ９；ＹＥＳ）、テキスト中の特定単語に付すべき黄マーカーを黄枠マーカーに種類変更し（ステップＳ１０）、ステップＳ１６に移行し、特定単語に対応する見出し語がマーカー単語帳に登録されていないと判定した場合も（ステップＳ９；ＮＯ）、そのままステップＳ１６に移行する。
【００３８】
他方、特定単語に対応する見出し語の検索頻度が５回以上であると判定した場合（ステップＳ７；Ｎ０）、ＣＰＵ２０は、テキスト中の特定単語に赤マーカーを付す処理を実行し（ステップＳ１１）、特定単語に対応する見出し語が暗記カードに登録済みであるか否かを判定する（ステップＳ１２）。
ステップＳ１２では、ＣＰＵ２０は、特定単語に対応する見出し語とその意味内容を手書き入力した手書き画像とが対応付けられ暗記カードテーブル８８に蓄積記憶されているか否かを判定する。
判定の結果、ＣＰＵ２０は、特定単語が暗記カードに登録済みであると判定した場合（ステップＳ１２；ＹＥＳ）、テキスト中の特定単語に付すべき赤マーカーを赤枠マーカーに種類変更し（ステップＳ１３）、ステップＳ１６に移行し、特定単語に対応する見出し語が暗記カードに登録されていないと判定した場合（ステップＳ１２；ＮＯ）、ステップＳ１４に移行する。
【００３９】
ステップＳ１４では、ＣＰＵ２０は、特定単語に対応する見出し語がマーカー単語帳に登録済みであるか否かを判定する。ステップＳ１４はステップＳ９と同様の処理である。
特定単語に対応する見出し語がマーカー単語帳に登録済みであると判定した場合（ステップＳ１４；ＹＥＳ）、ＣＰＵ２０は、特定単語に対応する見出し語の登録先をマーカー単語帳から暗記カードに移動させ（ステップＳ１５）、テキスト中の特定単語に付すべき赤マーカーを赤枠マーカーに種類変更する（ステップＳ１３）。ステップＳ１５では、ＣＰＵ２０は、後述のステップＳ２６と同様に、特定単語に対応する見出し語を暗記カードに登録する。
特定単語に対応する見出し語がマーカー単語帳に登録されていないと判定した場合（ステップＳ１４；ＮＯ）、ステップＳ１６に移行する。
なお、ステップＳ６〜Ｓ１５に関し、特定単語に対応する見出し語の検索回数の閾値（２回、４回）や、テキスト中の特定単語に付すべきマーカーの色、表示態様（赤黄青、枠の有無）などは適宜変更されてもよい。
【００４０】
ステップＳ１６では、ＣＰＵ２０は、テキスト中に次に特定すべき単語があるか否かを判定する。
判定の結果、ＣＰＵ２０は、次の単語があると判定した場合（ステップＳ１６；ＹＥＳ）、次の単語を特定し（ステップＳ１７）、ステップＳ４〜Ｓ１５の処理を繰り返し、次の単語はないと判定した場合（ステップＳ１６；ＮＯ）、図４の処理に移行する。
【００４１】
図４の処理では、ＣＰＵ２０は、ユーザ操作によりテキスト中の単語が指定されたか否かを判定する（ステップＳ２０）。
判定の結果、ＣＰＵ２０は、テキスト中の単語が指定されたと判定した場合（ステップＳ２０；ＹＥＳ）、図５の処理に移行し、テキスト中の単語は指定されていないと判定した場合（ステップＳ２０；ＮＯ）、ステップＳ２１に移行する。
【００４２】
ステップＳ２１では、ＣＰＵ２０は、ユーザ操作により画面移動（上下左右のスクロールまたは画面の切り替え）が指示されたか否かを判定する。
判定の結果、ＣＰＵ２０は、画面移動が指示されたと判定した場合（ステップＳ２１；ＹＥＳ）、その指示に応じてテキストをメインパネル１０中で移動させ（ステップＳ２２）、図３のステップＳ２に戻り、画面移動は指示されなかったと判定した場合（ステップＳ２１；ＮＯ）、ステップＳ２３に移行する。
【００４３】
ステップＳ２３では、ＣＰＵ２０は、ユーザ操作によりテキスト中で指定された単語（以下「指定単語」という。）に対しマーカー表示が指示されたか否かを判定する。
判定の結果、ＣＰＵ２０は、マーカー表示が指示されたと判定した場合（ステップＳ２３；ＹＥＳ）、指定単語にマーカーを付してその指定単語をメインパネル１０に表示させ（ステップＳ２４）、ステップＳ２５に移行し、マーカー表示は指示されなかったと判定した場合（ステップＳ２３；ＮＯ）、ステップＳ２０に戻る。
【００４４】
ステップＳ２４では、ＣＰＵ２０は、ステップＳ４〜Ｓ１５の処理の結果として、メインパネル１０のテキストにおける指定単語を検索頻度別および登録有無別の両方の基準で識別表示させる。
すなわち、ＣＰＵ２０は、指定単語に対し、当該指定単語に対応する見出し語が１〜２回検索されている場合には「青枠マーカー」を、当該指定単語に対応する見出し語が３〜４回検索されている場合には「黄マーカー」を、当該指定単語に対応する見出し語が３〜４回検索されかつマーカー単語帳に登録済みである場合には「黄枠マーカー」を、当該指定単語に対応する見出し語が５回以上検索されている場合には「赤マーカー」を、当該指定単語に対応する見出し語が５回以上検索されかつ暗記カードに登録済みである場合には「赤枠マーカー」を付してそれぞれ表示させる。
【００４５】
ステップＳ２５では、ＣＰＵ２０は、ユーザ操作により一括単語帳登録が選択されたか否かを判定する。
判定の結果、ＣＰＵ２０は、一括単語帳登録が選択されたと判定した場合（ステップＳ２５；ＹＥＳ）、マーカー表示された未登録の各指定単語に対応する見出し語を、検索頻度に応じてマーカー単語帳、暗記カードのそれぞれに一括で登録し（ステップＳ２６）、ステップＳ２０に戻り、一括単語帳登録は選択されなかったと判定した場合（ステップＳ２５；ＮＯ）、ステップＳ２７に移行する。
【００４６】
ステップＳ２６では、ＣＰＵ２０は、黄マーカーが付された指定単語については、指定単語に対応する見出し語と、当該見出し語の説明情報中での指定単語の文字列の位置情報とを、対応付けてマーカー単語帳テーブル８７に蓄積記憶させる。他方、赤マーカーが付された指定単語については、指定単語に対応する見出し語と、その意味内容を手書き入力した手書き画像とを、対応付けて暗記カードテーブル８８に蓄積記憶させる。
なお、ステップＳ２６では、ＣＰＵ２０は、黄マーカー、赤マーカーが付された全ての指定単語に対応する見出し語を、暗記カードに一括で登録してもよい。
【００４７】
ステップＳ２７では、ＣＰＵ２０は、ユーザ操作により頻度別単語帳登録が選択されたか否かを判定する。
判定の結果、ＣＰＵ２０は、頻度別単語帳登録が選択されたと判定した場合（ステップＳ２７；ＹＥＳ）、マーカー表示された未登録の指定単語に対応する見出し語を、マーカー単語帳、暗記カードの一方にのみ登録し（ステップＳ２８）、ステップＳ２０に戻り、頻度別単語帳登録は選択されなかったと判定した場合（ステップＳ２７；ＮＯ）、ステップＳ２９に移行する。
【００４８】
ステップＳ２８では、ＣＰＵ２０は、ユーザ操作に応じて、黄マーカーが付された指定単語に対応する見出し語をマーカー単語帳に登録するか、または赤マーカーが付された指定単語に対応する見出し語を暗記カードに登録する。登録方法はステップＳ２６と同様である。
なお、ステップＳ２８では、ＣＰＵ２０は、黄マーカー、赤マーカーが付された指定単語に対応する見出し語を、ユーザ操作に応じて、暗記カードに登録してもよい。
【００４９】
ステップＳ２９では、ＣＰＵ２０は、ユーザ操作により辞書引きテストモードのＯＮ／ＯＦＦ操作がなされたか否かを判定する。
判定の結果、ＣＰＵ２０は、ＯＮ／ＯＦＦ操作がなされたと判定した場合（ステップＳ２９；ＹＥＳ）、辞書引きテストモードの実行のＯＮ／ＯＦＦを切り替え設定を変更し（ステップＳ３０）、ステップＳ２０に戻り、ＯＮ／ＯＦＦ操作はなされなかったと判定した場合（ステップＳ３０；ＮＯ）、ステップＳ３１に移行する。
【００５０】
ステップＳ３１では、ＣＰＵ２０は、ユーザ操作により他の処理が選択されたか否かを判定する。
判定の結果、ＣＰＵ２０は、他の処理が選択されたと判定した場合（ステップＳ３１；ＹＥＳ）、その他の処理を実行し（ステップＳ３２）、他の処理は選択されなかったと判定した場合（ステップＳ３１；ＮＯ）、ステップＳ２０に戻る。
【００５１】
図５の処理では、ＣＰＵ２０は、指定単語に対応する見出し語の検索頻度を更新し（ステップＳ４０）、ステップＳ４１に移行する。
ステップＳ４０では、ＣＰＵ２０は、指定単語に対応する見出し語の検索回数に１を加算してその検索回数をヒストリーテーブル８４に蓄積記憶させる。
なお、ステップＳ４０では、ＣＰＵ２０は、指定単語に対応する見出し語の検索回数に加え、指定単語に対応する見出し語の説明情報中で単語を指定（ジャンプ検索）した場合も、その検索回数をヒストリーテーブル８４に蓄積記憶させてもよい。
【００５２】
ステップＳ４１では、ＣＰＵ２０は、指定単語に対しマーカー表示が指示されたか否かを判定する。
判定の結果、ＣＰＵ２０は、マーカー表示は指示されなかったと判定した場合（ステップＳ４１；ＮＯ）、指定単語に対応する見出し語の説明情報を、辞書データベース７２から読み出してメインパネル１０に表示させ（ステップＳ４２）、マーカー表示が指示されたと判定した場合（ステップＳ４１；ＹＥＳ）、指定単語にマーカーを付して指定単語をメインパネル１０に表示させ（ステップＳ４３）、ステップＳ４４に移行する。
ステップＳ４３は図４のステップＳ２４と同様の処理である。
【００５３】
ステップＳ４４では、ＣＰＵ２０は、辞書引きテストモードがＯＮ状態であるか否かを判定する。
判定の結果、ＣＰＵ２０は、ＯＮ状態であると判定した場合（ステップ４４；ＹＥＳ）、ステップＳ４５に移行し、ＯＦＦ状態であると判定した場合（ステップＳ４４；ＮＯ）、ステップＳ４２に移行する。
【００５４】
ステップＳ４５では、ＣＰＵ２０は、指定単語に黄枠マーカーが付されているか（指定単語に対応する見出し語がマーカー単語帳に登録されているか）否かを判定する。
判定の結果、ＣＰＵ２０は、黄枠マーカーが付されている（指定単語に対応する見出し語がマーカー単語帳に登録されている）と判定した場合（ステップＳ４５；ＹＥＳ）、マーカー単語帳を用いたテストを実施し（ステップＳ４６）、黄枠マーカーが付されていないと判定した場合（ステップＳ４５；ＮＯ）、ステップ４７に移行する。
【００５５】
ステップＳ４６では、ＣＰＵ２０は、黄枠マーカーが付された指定単語に対応する見出し語の説明情報を、辞書データベース７２から読み出しメインパネル１０に表示させる。このとき、ＣＰＵ２０は、マーカー単語帳テーブル８７に蓄積記憶された指定単語に対応する文字列の位置情報に基づき、説明情報中での当該指定単語に対応する文字列部分を潜像化した状態でメインパネル１０に表示させ、その後、ユーザ操作によりサブパネル１１に手書き入力されたときに、当該指定単語に対応する文字列部分を顕像化した状態でメインパネル１０に表示させる。
本実施の形態では、「潜像化した状態」とは見た目上指定単語をマーカーで塗りつぶして文字を見えなくした状態をいい、「顕像化した状態」とはマーカーつきで文字を表示した状態をいう。
【００５６】
ステップＳ４７では、ＣＰＵ２０は、テキスト表示中の指定単語に赤枠マーカーが付されているか（指定単語に対応する見出し語が暗記カードに登録されているか）否かを判定する。
判定の結果、ＣＰＵ２０は、テキスト表示中の指定単語に赤枠マーカーが付されている（指定単語に対応する見出し語が暗記カードに登録されている）と判定した場合（ステップＳ４７；ＹＥＳ）、指定単語に対応する見出し語について暗記カードを用いたテストを実施し（ステップＳ４８）、テキスト表示中の指定単語に赤枠マーカーが付されていないと判定した場合（ステップＳ４７；ＮＯ）、ステップ４２に移行する。
【００５７】
ステップＳ４８では、ＣＰＵ２０は、赤枠マーカーが付された指定単語に対応する見出し語と手書き入力するための手書き欄とを、メインパネル１０に表示させる。その後、ＣＰＵ２０は、ユーザ操作により手書き欄に手書き入力された手書き画像と暗記カードテーブル８８に蓄積記憶された手書き画像とを照合してこれら手書き画像が互いに合致したときに、当該指定単語に対応する見出し語の説明情報を、辞書データベース７２から読み出してメインパネル１０に表示させる。
【００５８】
［動作例］
続いて、上述した電子辞書１の処理を具体的に説明する。
【００５９】
＜動作例１＞
ユーザがテキストコンテンツ７４からテキストを指定、たとえば「世界文学３００作品（イソップ童話）」の「The Goose With the Golden Eggs」を指定すると、図６（ａ）に示すように、テキストの内容がメインパネル１０に表示される（ステップＳ１、Ｓ２）。ユーザは、テキストの内容を読み進めながら、わからない単語があると、その単語を指定して意味内容を検索したり、検索内容にさらにわからない単語があると、その単語を指定して意味内容をジャンプ検索したりする。その際、指定の単語について対応する英和辞書が見出し語検索されて、検索された見出し語が、ヒストリーテーブル８４にその見出し語の検索回数とともに蓄積記憶される。より詳細には、検索された見出し語が検索履歴としてヒストリーテーブル８４に記憶されていないき場合には、その見出し語と検索回数１回が対応づけて蓄積記憶され、同じ見出し語が検索された場合に、その検索回数が１回増えて、その見出し語と１回増えた検索回数とがヒストリーテーブル８４に蓄積記憶される。
【００６０】
後日、ユーザが別のテキストまたは同じテキスト中の別の単元を指定、たとえば同じテキストの別の単元「The Dogs and the Shadow」を指定すると、図６（ｂ）に示すように、テキストの内容がメインパネル１０に表示される（ステップＳ１、Ｓ２）。今回も、前回と同様に、ユーザは、テキストの内容を読み進めながら、わからない単語があると、その単語を指定して意味内容を検索したり、検索内容にさらにわからない単語があると、その単語を指定して意味内容をジャンプ検索したりする。その際、前述のとおり、見出し語と検索回数とがヒストリーテーブル８４に蓄積記憶される。
【００６１】
その後、図６（ｃ）に示すように、ユーザがメインパネル１０の「一括登録」の操作部１００を指定すると、図７（ａ）に示すように、メインパネル１０には、前回と今回とを含むこれまでに検索した各指定単語に対応する各見出し語の検索頻度別および登録有無別の両方の基準でテキスト表示された各指定単語にマーカー表示され（ステップＳ２４）、サブパネル１１には、検索頻度別に登録を促す選択画面１０２が表示される。
すなわち、１〜２回検索された見出し語の指定単語には「青枠マーカー」が付される（ステップＳ５）。３〜４回検索された見出し語の指定単語には「黄マーカー」が付され（ステップＳ８）、３〜４回検索されかつマーカー単語帳に登録済みの見出し語の指定単語には「黄枠マーカー」が付される（ステップＳ１０）。５回以上検索された見出し語の指定単語には「赤マーカー」が付され（ステップＳ１１）、５回以上検索されかつ暗記カードに登録済みの見出し語の指定単語には「赤枠マーカー」が付される（ステップＳ１３）。
【００６２】
その後、ユーザが選択画面１０２の「全て」を指定すると（ステップＳ２５）、図７（ｂ）に示すように、黄マーカー、赤マーカーが付された見出し語が単語帳に未登録である指定単語について、検索頻度の多い順序で、その指定単語の登録画面１０４がメインパネル１０に表示される。
ここでは、ｐｌａｎｋ、ｂｅｎｅａｔｈ、ｂｒｏｏｋ、ｓｎａｐの順序で、登録画面１０４がメインパネル１０に表示される。登録画面１０４には、指定単語に対応する見出し語が表示された表面１０６と、手書き入力するための空白の裏面１０８（手書き入力欄）とが表示される。
その後、ユーザがサブパネル１１に対しｐｌａｎｋに対応する意味内容として「厚板、板」と手書き入力すると、その手書き画像「厚板、板」が、表面１０６の見出し語を表面情報とした裏面情報として対応付けられ、暗記カードに登録される。かかる登録の処理がｂｅｎｅａｔｈ、ｂｒｏｏｋ、ｓｎａｐについても同様になされる（ステップＳ２６）。
【００６３】
他方、ユーザが選択画面１０２の「赤のみ（頻度：高）」を指定すると（ステップＳ２７）、ｐｌａｎｋ、ｂｅｎｅａｔｈの手書き情報が暗記カードに登録され（ステップＳ２８）、ユーザが選択画面１０２の「黄のみ（頻度：中）」を指定すると（ステップＳ２７）、ｂｒｏｏｋ、ｓｎａｐの手書き情報が暗記カードに登録される（ステップＳ２８）。
その後、ユーザは本動作例１において登録済みの見出し語の指定単語について、暗記カードを用いたテストを実施することができる（動作例２、４参照）。
【００６４】
＜動作例２＞
動作例２では、動作例１において、ユーザが選択画面１０２のいずれかを指定すると、その用途に応じた操作が行われる。
【００６５】
すなわち、図８（ａ）に示す状態において、ユーザが選択画面１０２の「青のみ（ヒストリー）」を指定すると、図８（ｂ）に示すように、メインパネル１０には、青枠マーカーが付された指定単語の見出し語が一覧表示される。ここでは、ａｃｒｏｓｓ、ｒｅｆｌｅｃｔｅｄがメインパネル１０に一覧表示される。
【００６６】
ユーザが選択画面１０２の「黄のみ（単語帳）」を指定すると（ステップＳ２７）、黄マーカーが付された指定単語の見出し語が、マーカー単語帳に登録される。すなわち、図９（ａ）に示すように、メインパネル１０には、複数のマーカー単語帳が表示され、黄マーカーが付された指定単語の見出し語がユーザ操作により選択された特定のマーカー単語帳に登録される（ステップＳ２８）。ここでは、ｂｒｏｏｋ、ｓｎａｐの見出し語と、マーカー部分（本実施形態では説明情報中の見出し語部分）がマーカー単語帳に登録される（なお、ユーザ自身がマーカー部分を指定するようにしてもよく、その場合にはユーザ指定のマーカー部分が見出し語に対応づけられマーカー単語帳に登録される。）。
かかる場合において、ユーザがマーカー単語帳を用いたテストを実施すると、図９（ｂ）に示すように、メインパネル１０には、指定単語の見出し語に対応する文字列部分が潜像化された状態でその指定単語に対応する見出し語の説明情報が表示される。これに対し、ユーザは、説明情報の意味内容から、潜像化された指定単語をサブパネル１１に手書き入力し解答することができる（なお、ユーザ自身でマーカ部分を指定した場合はユーザ指定のマーカ部分がテキスト中で潜像化された状態で表示される。）。
【００６７】
ユーザが選択画面１０２の「赤のみ（カード作成）」を指定すると（ステップＳ２７）、赤マーカーが付された指定単語の見出し語が、暗記カードに登録される。すなわち、動作例１と同様に、図１０（ａ）に示すように、メインパネル１０には、赤マーカーが付された指定単語の見出し語に対応する登録画面１０４が表示され、ユーザがサブパネル１１に指定単語の意味内容を手書き入力すると、その手書き情報が見出し語に対応づけられ暗記カードに登録される（ステップＳ２８）。ここでは、ｐｌａｎｋ、ｂｅｎｅａｔｈの見出し語と手書き情報が暗記カードに登録される。
かかる場合において、ユーザが暗記カードを用いたテストを実施すると、図１０（ｂ）に示すように、メインパネル１０には暗記カードが表示される。これに対し、ユーザは暗記カードに表示された単語の意味内容をサブパネル１１に手書き入力し解答することができる。
【００６８】
なお、ユーザが選択画面１０２の「全て」を指定すると（ステップＳ２５）、上記で説明したように、黄マーカーが付された指定単語に対応する見出し語はマーカー単語帳に登録され、赤マーカーが付された指定単語に対応する見出し語は暗記カードに登録される（ステップＳ２６）。
【００６９】
＜動作例３＞
動作例３では、図１１に示すように、ユーザがメインパネル１０の「即登録」の操作部１１０を指定すると、動作例１において選択画面１０２の「全て」を選択したときと同様に、黄マーカー、赤マーカーが付された未登録の指定単語に対応する見出し語が暗記カードに登録される。
なお、動作例３では、動作例２において選択画面１０２の「全て」を選択したときと同様に、黄マーカーが付された指定単語に対応する見出し語がマーカー単語帳に登録され、赤マーカーが付された指定単語に対応する見出し語が暗記カードに登録されてもよい。
【００７０】
＜動作例４＞
動作例４では、図１２（ａ）に示すように、ユーザがメインパネル１０の「辞書引きテスト」の操作部１１２を指定し（ステップＳ４４）、登録済みの指定単語を特定すると、特定した登録済みの指定単語に応じてマーカー単語帳または暗記カードを用いたテストが実施される。
たとえば、ユーザが、黄枠マーカーが付された単語の「ｓｎａｐ」を指定すると、指定単語に対応する見出し語は、黄枠マーカーが付されておりマーカー単語帳に登録済みであることが検知され、マーカー単語帳を用いたテストが実施される（ステップＳ４５〜Ｓ４６）。かかる場合、図１２（ｂ）に示すように、メインパネル１０には、ｓｎａｐ部分が潜像化された状態でｓｎａｐの説明情報が表示される。これに対し、ユーザは、説明情報の意味内容から、潜像化された見出し語の単語をサブパネル１１に手書き入力し解答すると、メインパネル１０のｓｎａｐ部分が顕像化され、ｓｎａｐの説明情報を確認することができる。
他方、ユーザが、赤枠マーカーが付された単語の「ｂｅｎｅａｔｈ」を指定すると、指定単語に対応する見出し語は、赤枠マーカーが付されており暗記単語帳に登録済みであることが検知され、暗記カードを用いたテストが実施される（ステップＳ４７〜Ｓ４８）。かかる場合、図１３（ａ）に示すように、メインパネル１０には暗記カードが表示される。これに対し、ユーザは暗記カードに表示された見出し語の意味内容をサブパネル１１に手書き入力し解答し正答すると、図１３（ｂ）に示すように、メインパネル１０にｂｅｎｅａｔｈの「説明情報」が、サブパネル１１に「○」がそれぞれ表示される。
【００７１】
以上の電子辞書１によれば、図４のＳ２４、図７（ａ）に示したように、テキスト中の各単語が、各単語に対応する見出し語の検索頻度に応じて赤、黄、青マーカーが付されて表示され、マーカー単語帳または暗記カードへの登録の有無に応じて赤枠、黄枠マーカーが付されて表示されるため、テキストを閲覧しながら、テキスト中の単語の検索頻度と登録有無とを同時に識別することができる。
【００７２】
また、図４のＳ２８、図９、図１０に示したように、テキスト中の指定単語に対応する見出し語が、検索頻度別にマーカー単語帳または暗記カードに登録されうるため、ユーザは、自分自身の学習の進捗に合わせて、マーカー単語帳を用いた単語学習をすることもできるし、暗記カードを用いた暗記学習をすることもできる。
【００７３】
この場合に、図５のＳ４６、図１２（ｂ）に示したように、辞書引きテストモードのＯＮ状態で、ユーザがマーカー単語帳を用いたテストを実施したときは、マーカー単語帳に登録済みの見出し語の指定単語について、ユーザがサブパネル１１に手書き入力し解答しないと説明情報が表示されず、また図５のＳ４８、図１３に示したように、ユーザが暗記カードを用いたテストを実施したときも、ユーザがサブパネル１１に正答を手書き入力しないと説明情報が表示されない。
すなわち、辞書引きテストモードのＯＮ状態で、ユーザがマーカー単語帳または暗記カードを用いたテストを実施した場合に、ユーザが解答しまたはさらに正答が得られないときには、強制的に、指定単語に対応する見出し語の説明情報が表示されず正解を確認することができないため、ユーザ自身の学習効果を高めることができる。
【００７４】
さらに、図５のＳ４０、図３のＳ１５に示したように、指定単語の検索頻度が更新されたときに、マーカー単語帳に登録済みの特定単語が暗記カードにそのまま登録されるため、ユーザは、更新されるたびに最新の学習の進捗に合わせて、単語帳を用いた学習をすることができる。
【００７５】
なお、本発明を適用可能な実施形態は、上述した実施形態や変形例に限定されることなく、本発明の趣旨を逸脱しない範囲で適宜変更可能である。
たとえば、本実施形態においては、テキストに表示された単語のうちでユーザ指定された単語について見出し語検索しヒストリーテーブル８４に見出し語とその単語の過去の検索頻度とが蓄積記憶されるようにしたが、いずれかの辞書が指定されてユーザにより検索文字が入力されて見出し語が検索された場合にも、前記ヒストリーテーブル８４に見出し語とその単語の過去の検索頻度とが蓄積記憶されるようにしてもよい。
【００７６】
また本実施形態では、本発明に係る電子機器を電子辞書１として説明したが、本発明が適用可能なものは、このような製品に限定されず、たとえば図１４に示すようなタブレットパソコン（或いはスマートフォン）２００、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８２は、電子辞書１に対して着脱可能な外部情報記憶媒体に記憶されることとしてもよい。
【００７７】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
テキストを表示するテキスト表示手段と、
見出し語と当該見出し語の説明情報とを対応づけて複数記憶する辞書記憶手段と、
ユーザ操作によりテキスト中のいずれかの単語を指定する単語指定手段と、
前記単語指定手段により指定された単語に対応する見出し語を前記辞書記憶手段から検索する見出し語検索手段と、
前記見出し語検索手段により検索された見出し語の説明情報を、前記辞書記憶手段から読み出して表示させる説明情報表示制御手段と、
見出し語検索手段により検索された見出し語毎に検索頻度を記憶する検索頻度記憶手段と、
前記検索頻度手段に記憶された各見出し語のうち、所定の検索頻度に達した見出し語を少なくとも１種類の単語帳に登録する単語帳登録手段と、
前記検索頻度記憶手段に記憶された見出し語毎の検索頻度と、前記単語帳登録手段により登録された見出し語とに基づき、テキスト中の単語を、検索頻度別および登録有無別の両方の基準で識別表示させる識別表示制御手段と、
を備えることを特徴とする情報表示装置。
＜請求項２＞
請求項１に記載の情報表示装置において、
前記単語帳登録手段は、
第１の検索頻度に達した見出し語と、当該見出し語の説明情報中のマーカー文字列部分とを対応付けて蓄積記憶するマーカー単語帳登録手段と、
第２の検索頻度に達した見出し語と、ユーザ操作により手書き入力される手書き画像とを対応付けて蓄積記憶する手書単語帳登録手段と、
を有することを特徴とする情報表示装置。
＜請求項３＞
請求項２に記載の情報表示装置において、
前記単語帳登録手段は、
ユーザ操作により、前記テキスト中で指定された各単語に対応する各見出し語を、その見出し語の検索頻度に応じて、前記マーカー単語帳登録手段または前記手書単語帳登録手段のいずれかに一括で登録することを備えることを特徴とする情報表示装置。
＜請求項４＞
請求項２または３に記載の情報表示装置において、
ユーザ操作によりテストモードが実行され、前記マーカー単語帳登録手段に登録された単語が指定された場合、その単語に対応する見出し語の説明情報を対応するマーカー文字列部分を潜像化した状態でマーカー表示させ、ユーザ操作によりその単語の解答が得られたときに、当該マーカー文字列部分を顕像化した状態で表示させるマーカー単語帳テスト実施手段と、
ユーザ操作によりテストモードが実行され、前記手書単語帳登録手段に登録された単語であってユーザ操作により指定されたテキスト中のいずれかの単語が指定された場合に、その単語に対応する見出し語と手書き入力するための手書き欄とを表示させ、当該手書き欄にユーザ操作により手書き入力された手書き画像と前記手書単語帳登録手段に登録された当該見出し語の手書き画像とが合致したときに、その単語に対応する見出し語の説明情報を表示させる手書単語帳テスト実施手段と、
を備えることを特徴とする情報表示装置。
＜請求項５＞
請求項４に記載の情報表示装置において、
前記テストモードの実行のオン・オフの状態を切り替えるテスト実行制御手段を備え、
前記テスト実行制御手段は、
前記テストモードの実行がオンの状態では、前記単語指定手段によりテキスト中のいずれかの単語が指定された場合に、当該単語に対応する見出し語が前記マーカー単語帳登録手段かまたは手書単語帳登録手段に登録されているときは、前記テストモードを実行し、前記指定された単語に対応する見出し語についてテストを実施し、
前記テストモードの実行がオフの状態では、前記単語指定手段によりテキスト中のいずれかの単語が指定された場合に、前記見出し語検索手段により指定された単語に対応する見出し語を前記辞書記憶手段から検索することを特徴とする情報表示装置。
＜請求項６＞
請求項２〜５のいずれか一項に記載の情報表示装置において、
前記マーカー単語帳登録手段に登録済みの見出し語の登録先を、その単語の検索頻度が変動したときに、前記手書単語帳登録手段に変更させる登録先変更手段を備えることを特徴とする情報表示装置。
＜請求項７＞
テキストを表示するテキスト表示手段と見出し語と当該見出し語の説明情報とを対応づけて複数記憶する辞書記憶手段と、を備えるコンピューターに、
ユーザ操作によりテキスト中のいずれかの単語を指定する単語指定機能と、
前記単語指定機能により指定された単語に対応する見出し語を前記辞書記憶手段から検索する見出し語検索機能と、
前記見出し語検索機能により検索された見出し語の説明情報を、前記辞書記憶手段から読み出して表示させる説明情報表示制御機能と、
見出し語検索機能により検索された見出し語毎に検索頻度を記憶する検索頻度記憶機能と、
前記検索頻度機能により記憶された各見出し語のうち、所定の検索頻度に達した見出し語を少なくとも１種類の単語帳に登録する単語帳登録機能と、
前記検索頻度記憶機能により記憶された見出し語毎の検索頻度と、前記単語帳登録機能により登録された見出し語とに基づき、テキスト中の単語を、検索頻度別および登録有無別の両方の基準で識別表示させる識別表示制御機能と、
を実現させることを特徴とする情報表示プログラム。
【符号の説明】
【００７８】
１  電子辞書
１０  メインパネル
２０  ＣＰＵ
７２  辞書データベース
８２  情報表示プログラム
８４  ヒストリーテーブル
８６  単語帳群
【図１】
2015060492.tif 000003
【図２】
2015060492.tif 000004
【図４】
2015060492.tif 000005
【図５】
2015060492.tif 000006
【図６】
2015060492.tif 000007
【図７】
2015060492.tif 000008
【図８】
2015060492.tif 000009
【図９】
2015060492.tif 000010
【図１０】
2015060492.tif 000011
【図１１】
2015060492.tif 000012
【図１２】
2015060492.tif 000013
【図１３】
2015060492.tif 000014
【図１４】
2015060492.tif 000015
【図３】
2015060492.tif 000016